(57)【要約】【課題】結束バンドなどの固定具をなくしてコストを削減する。【解決手段】本明細書によって開示される配電盤１０は、被覆電線２０と、被覆電線２０を保持するブラケット３０とを備えた配電盤１０であって、ブラケット３０は、板状の本体部３１と、本体部３１の一部を切り起こすことによって形成された保持片３２とを有し、この保持片３２を本体部３１側に近づけて保持片３２と本体部３１の間において被覆電線２０を挟むことで被覆電線２０がブラケット３０に保持される構成とした。【選択図】図１
2016162667.tif 000002
【特許請求の範囲】
【請求項１】
電線と、
前記電線を保持するブラケットとを備えた配電盤であって、
前記ブラケットは、板状の本体部と、前記本体部の一部を切り起こすことによって形成された保持片とを有し、この保持片を前記本体部側に近づけて前記保持片と前記本体部の間において前記電線を挟むことで前記電線が前記ブラケットに保持される配電盤。
【請求項２】
前記保持片は片持ち状をなし、前記本体部から垂直方向に突出する垂直片と、前記垂直片の突出端から水平方向に突出する水平片とを備え、前記保持片を前記本体部側に近づけることで前記垂直片と前記水平片と前記本体部とによって前記電線が挟まれる請求項１に記載の配電盤。
【請求項３】
複数の前記電線を備え、複数の前記電線を前記保持片によって一括して挟む請求項１または請求項２に記載の配電盤。
【請求項４】
芯線が絶縁被覆で覆われるとともに前記絶縁被覆の一部が皮剥ぎされることで中間皮剥ぎ部が設けられた被覆電線と、
前記被覆電線を保持するブラケットとを備えた配電盤であって、
前記ブラケットは、導電性の板状の本体部と、前記本体部の一部を切り起こすことによって形成された保持片とを有し、この保持片を前記本体部側に近づけて前記保持片と前記本体部の間において前記中間皮剥ぎ部を挟むことで前記被覆電線を前記ブラケットに接地する配電盤。
【請求項５】
複数の前記電線を備え、複数の前記電線にそれぞれ設けられた複数の前記中間皮剥ぎ部を前記保持片によって一括して挟む請求項４に記載の配電盤。
【発明の詳細な説明】
【技術分野】
【０００１】
本明細書によって開示される技術は、配電盤に関する。
【背景技術】
【０００２】
従来、例えばオートマチックトランスミッションなどの機器のケースの内部に取り付け固定される配電盤として、例えば特開２０１１−２４９２２１号公報（下記特許文献１）に記載のものが知られている。この配電盤は、複数の電線が引き出されたコネクタと、電線およびコネクタを固定するブラケットとを備えて構成され、コネクタを介して外部回路に接続されるようになっている。
【先行技術文献】
【特許文献】
【０００３】
【特許文献１】特開２０１１−２４９２２１号公報
【発明の概要】
【発明が解決しようとする課題】
【０００４】
ブラケットは、金属平板を打ち抜き加工および曲げ加工することによって形成されており、複数のデバイスが装着されたベース部を有している。ベース部には複数の取付部が設けられており、各電線は、結束バンドによって各取付部に固定されている。このような構成においては、ブラケットとは別に結束バンドを使用しているため、部品点数が多くなり、また、コストが高くなるという問題がある。
【課題を解決するための手段】
【０００５】
本明細書によって開示される配電盤は、電線と、前記電線を保持するブラケットとを備えた配電盤であって、前記ブラケットは、板状の本体部と、前記本体部の一部を切り起こすことによって形成された保持片とを有し、この保持片を前記本体部側に近づけて前記保持片と前記本体部の間において前記電線を挟むことで前記電線が前記ブラケットに保持される構成とした。
【０００６】
このような構成によると、ブラケットとは別に結束バンドなどの固定具を必要としないため、部品点数を削減でき、コストを抑制できる。
【０００７】
本明細書によって開示される配電盤は、以下の構成としてもよい。
前記保持片は片持ち状をなし、前記本体部から垂直方向に突出する垂直片と、前記垂直片の突出端から水平方向に突出する水平片とを備え、前記保持片を前記本体部側に近づけることで前記垂直片と前記水平片と前記本体部とによって前記電線が挟まれる構成としてよい。
このような構成によると、垂直片と水平片と本体部とによって電線が三方から囲まれた姿勢で電線をブラケットに固定することができる。
【０００８】
複数の前記電線を備え、複数の前記電線を前記保持片によって一括して挟む構成としてもよい。
このような構成によると、複数の電線を保持片によって束ねた状態で保持することができる。
【０００９】
また、本明細書によって開示される配電盤は、芯線が絶縁被覆で覆われるとともに前記絶縁被覆の一部が皮剥ぎされることで中間皮剥ぎ部が設けられた被覆電線と、前記被覆電線を保持するブラケットとを備えた配電盤であって、前記ブラケットは、導電性の板状の本体部と、前記本体部の一部を切り起こすことによって形成された保持片とを有し、この保持片を前記本体部側に近づけて前記保持片と前記本体部の間において前記中間皮剥ぎ部を挟むことで前記被覆電線を前記ブラケットに接地する構成としてもよい。
このような構成によると、ブラケットとは別に、中間皮剥ぎ部を本体部に中継接続する圧着端子などの接続部材を必要としないため、部品点数を削減でき、コストを抑制できる。
【００１０】
複数の前記電線を備え、複数の前記電線にそれぞれ設けられた複数の前記中間皮剥ぎ部を前記保持片によって一括して挟む構成としてもよい。
このような構成によると、複数の中間皮剥ぎ部をブラケットに接地することができ、各電線同士を接続することができる。
【発明の効果】
【００１１】
本明細書によって開示される技術によれば、結束バンドなどの固定具や圧着端子などの接続部材をなくしてコストを削減することができる。
【図面の簡単な説明】
【００１２】
【図１】実施形態１の配電盤の正面図であって、複数の被覆電線を保持片と本体部との間において挟む前の状態を示した正面図
【図２】複数の被覆電線が保持片と本体部との間に挟まれた状態を示した正面図
【図３】実施形態２の配電盤の斜視図であって、複数の中間皮剥ぎ部を接地片と本体部との間において挟む前の状態を示した斜視図
【図４】複数の中間皮剥ぎ部が接地片と本体部との間に挟まれた状態を示した斜視図
【図５】図４における接地片の位置で切断した断面図
【発明を実施するための形態】
【００１３】
＜実施形態１＞
実施形態１を図１から図３の図面を参照しながら説明する。本実施形態の配電盤１０は、複数の被覆電線２０と、これらの被覆電線２０を保持するブラケット３０とを備えて構成されている。
【００１４】
被覆電線２０は、導電性の芯線２１と、この芯線２１を覆う絶縁性の絶縁被覆２２とを備えて構成されている。芯線２１は、複数の金属素線を撚り合わせた撚り線とされている。
【００１５】
ブラケット３０は金属製であって、平板状をなす本体部３１と、この本体部３１の一部を切り起こすことによって片持ち状に形成された保持片３２とを備えて構成されている。なお、本体部３１には、保持片３２を切り起こしたことに伴う切り起こし孔３５（図３参照）が設けられている。
【００１６】
保持片３２は詳細には、本体部３１から垂直に立ち上がる垂直片３３と、垂直片３３の上端から水平方向に延びる水平片３４とからなる。言い換えると、垂直片３３は、本体部３１の上面に直交する姿勢で上方に突出しており、垂直片３３の突出端に、本体部３１の上面と平行な姿勢で水平片３４が設けられている。
【００１７】
図１に示すように、複数の被覆電線２０を本体部３１と保持片３２の間に配しておき、水平片３４の先端側を本体部３１側に押し込むと、水平片３４が斜め下方を向いた姿勢となり、図２に示すように、複数の被覆電線２０が垂直片３３と水平片３４と本体部３１とによって三方から囲まれた姿勢で複数の被覆電線２０がブラケット３０に保持される。
【００１８】
また、水平片３４の先端部は、本体部３１の切り起こし孔３５（図３参照）に差し込まれて本体部３１の下方に突出する。このため、保持片３２は、被覆電線２０の軸方向にずれにくくなっており、保持片３２による被覆電線２０の保持力が低下しにくいようになっている。
【００１９】
以上のように本実施形態によって開示される配電盤１０は、被覆電線２０と、被覆電線２０を保持するブラケット３０とを備えた配電盤１０であって、ブラケット３０は、板状の本体部３１と、本体部３１の一部を切り起こすことによって形成された保持片３２とを有し、この保持片３２を本体部３１側に近づけて保持片３２と本体部３１の間において被覆電線２０を挟むことで被覆電線２０がブラケット３０に保持される構成とした。
このような構成によると、ブラケット３０とは別に結束バンドなどの固定具を必要としないため、部品点数を削減でき、コストを抑制できる。
【００２０】
また、保持片３２は片持ち状をなし、本体部３１から垂直方向に突出する垂直片３３と、垂直片３３の突出端から水平方向に突出する水平片３４とを備え、保持片３２を本体部３１側に近づけることで垂直片３３と水平片３４と本体部３１とによって被覆電線２０が挟まれる構成としてよい。
このような構成によると、垂直片３３と水平片３４と本体部３１とによって被覆電線２０が三方から囲まれた姿勢で被覆電線２０をブラケット３０に固定することができる。
【００２１】
複数の被覆電線２０を備え、複数の被覆電線２０を保持片３２によって一括して挟む構成としてもよい。
このような構成によると、複数の被覆電線２０を保持片３２によって束ねた状態で保持することができる。
【００２２】
＜実施形態２＞
次に、実施形態２を図３から図５の図面を参照しながら説明する。本実施形態の配電盤４０は、実施形態１の被覆電線２０に中間皮剥ぎ部２３を設けたものであって、その他の構成については同じである。このため、実施形態１と同じ構成については同じ符号を用いるものとする。
【００２３】
中間皮剥ぎ部２３は、絶縁被覆２２の一部を皮剥ぎすることで露出させた芯線２１のことであり、中間皮剥ぎ部２３の両側には、絶縁被覆２２が残っている。そして、複数の中間皮剥ぎ部２３を本体部３１と保持片３２の間に配しておき、水平片３４の先端側を本体部３１側に押し込むと、図４に示すように、水平片３４が切り起こし孔３５を通過して本体部３１よりも下方に配され、水平片３４が斜め下方を向いた姿勢となる。このため、図５に示すように、複数の中間皮剥ぎ部２３が垂直片３３と水平片３４と本体部３１とによって三方から囲まれた姿勢で挟まれ、各中間皮剥ぎ部２３の位置において複数の被覆電線２０がブラケット３０に保持される。
【００２４】
また、隣り合う一対の中間皮剥ぎ部２３の芯線２１は互いに接触しているため、複数の被覆電線２０が各中間皮剥ぎ部２３の位置において導通可能に接続されることになる。したがって、複数の被覆電線２０から信号線を取り出すスプライス接続用途として本実施形態の接続構造を使用することができる。さらに本実施形態では、ブラケット３０が導電製の金属材からなり、ボディに対して導通可能に接続されているため、複数の被覆電線２０をボディに接地するアース接続用途として本実施形態の接続構造を使用することができる。
【００２５】
以上のように本実施形態によって開示される配電盤４０は、芯線２１が絶縁被覆２２で覆われるとともに絶縁被覆２２の一部が皮剥ぎされることで中間皮剥ぎ部２３が設けられた被覆電線２０と、被覆電線２０を保持するブラケット３０とを備えた配電盤４０であって、ブラケット３０は、板状の本体部３１と、本体部３１の一部を切り起こすことによって形成された保持片３２とを有し、この保持片３２を本体部３１側に近づけて保持片３２と本体部３１の間において中間皮剥ぎ部２３を挟むことで被覆電線２０をブラケット３０に接地する構成とした。
このような構成によると、ブラケット３０とは別に、中間皮剥ぎ部２３を本体部３１に中継接続する圧着端子などの接続部材を必要としないため、部品点数を削減でき、コストを抑制できる。
【００２６】
また、複数の被覆電線２０を備え、複数の被覆電線２０にそれぞれ設けられた複数の中間皮剥ぎ部２３を保持片３２によって一括して挟む構成としてもよい。
このような構成によると、複数の中間皮剥ぎ部２３をブラケット３０に接地することができ、各被覆電線２０同士を接続することができる。
【００２７】
＜他の実施形態＞
本明細書によって開示される技術は上記記述及び図面によって説明した実施形態に限定されるものではなく、例えば次のような種々の態様も含まれる。
（１）上記実施形態では被覆電線２０を例示しているものの、電線の種類は問わず、例えばシールド電線を使用してもよいし、絶縁被覆のない電線を使用してもよい。
【００２８】
（２）上記実施形態では片持ち状をなす保持片３２を例示しているものの、両持ち状をなす保持片としてもよい。また、必ずしも被覆電線２０を三方から囲む必要はない。
【００２９】
（３）上記実施形態では垂直片３３が垂直姿勢を保ったまま水平片３４のみが本体部３１側に曲げられているものの、垂直片３３の基端部が曲げられることで垂直片３３が斜め上方に延びる姿勢となるように保持片３２を曲げてもよい。
【００３０】
（４）上記実施形態では複数の被覆電線２０を保持片３２によってかしめているものの、１本の被覆電線２０を保持片３２によってかしめるようにしてもよい。
【００３１】
（５）上記実施形態では、ブラケット３０は金属製とされているものの、ブラケットは金属製でなくても、導電性を備えた樹脂などで構成されてもよい。
【符号の説明】
【００３２】
１０…配電盤
２０…被覆電線
２１…芯線
２２…絶縁被覆
２３…中間皮剥ぎ部
３０…ブラケット
３１…本体部
３２…保持片
３３…垂直片
３４…水平片
４０…配電盤
【図１】
2016162667.tif 000003
【図２】
2016162667.tif 000004
【図３】
2016162667.tif 000005
【図４】
2016162667.tif 000006
【図５】
2016162667.tif 000007